【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器(UE)用の2次セルのコンポーネントキャリアについてのロケーションおよびリソースブロックのセットを構成するステップと、
前記UEへ、前記コンポーネントキャリアの参照ロケーションを送信するステップであって、前記参照ロケーションは、第2のコンポーネントキャリアに関する、前記コンポーネントキャリアの相対ロケーション、または前記コンポーネントキャリアの前記ロケーションに対応する絶対周波数を含む、ステップと、
前記UEへ、前記コンポーネントキャリア用の前記リソースブロックのセットの指示を送信するステップと
を含み、
前記2次セルの前記コンポーネントキャリア用の前記リソースブロックのセットの前記指示と前記ロケーションとが、無線リソース制御(RRC)メッセージを介して、前記2次セルとは異なる1次セル上で送信される、方法。
【請求項２】
前記リソースブロックのセットと前記参照ロケーションまたは前記絶対周波数との間の関係の指示を送信するステップをさらに含む、および/または
前記リソースブロックのセットの前記指示は、前記コンポーネントキャリア用のリソースブロックの数を含む、請求項1に記載の方法。
【請求項３】
前記参照ロケーションは、前記コンポーネントキャリアに関連付けられた中心周波数、前記コンポーネントキャリアに関連付けられたサブキャリア位置、または前記コンポーネントキャリアに関連付けられたリソースブロック位置を示し、任意で、
前記サブキャリア位置は、前記コンポーネントキャリアの中心サブキャリア、前記コンポーネントキャリアのエッジサブキャリア、または前記コンポーネントキャリアのリソースブロックのサブキャリアインデックスに対応する、または
前記リソースブロック位置は、前記コンポーネントキャリアの中心リソースブロックまたは前記コンポーネントキャリアのエッジリソースブロックに対応する、請求項1に記載の方法。
【請求項４】
前記参照ロケーションは、リソースブロックまたはサブキャリアおよび関連付けられたサブキャリア間隔によって示される、ならびに/または
前記コンポーネントキャリアの少なくとも1つのサブキャリアは、前記UEの広帯域コンポーネントキャリアと整列する、請求項1に記載の方法。
【請求項５】
ワイヤレス通信のための方法であって、
基地局から、ユーザ機器(UE)用の2次セルのコンポーネントキャリアの参照ロケーションを受信するステップであって、前記参照ロケーションは、第2のコンポーネントキャリアに関する、前記コンポーネントキャリアの相対ロケーション、または前記コンポーネントキャリアの前記ロケーションに対応する絶対周波数を含む、ステップと、
前記基地局から、前記コンポーネントキャリア用のリソースブロックのセットの指示を受信するステップと、
前記参照ロケーションおよび前記リソースブロックのセットに少なくとも部分的に基づいて、前記2次セルの前記コンポーネントキャリアのパラメータのセットを判断するステップと、
前記パラメータのセットに少なくとも部分的に基づいて、前記コンポーネントキャリアを使って前記基地局と通信するステップとを含み、
前記2次セルの前記コンポーネントキャリア用の前記リソースブロックのセットの前記指示と前記ロケーションとが、無線リソース制御(RRC)メッセージを介して、前記2次セルとは異なる1次セル上で受信される、方法。
【請求項６】
前記リソースブロックのセットと前記参照ロケーションまたは前記絶対周波数との間の関係を識別するステップであって、前記パラメータのセットは、前記関係に少なくとも部分的に基づいて判断される、ステップをさらに含み、
前記関係を識別するステップは、
前記基地局から、前記リソースブロックのセットと前記参照ロケーションまたは前記絶対周波数との間の前記関係の指示を受信するステップを含む、および/または
前記リソースブロックのセットの前記指示は、前記コンポーネントキャリア用のリソースブロックの数を含む、請求項5に記載の方法。
【請求項７】
前記参照ロケーションは、前記コンポーネントキャリアに関連付けられた中心周波数、前記コンポーネントキャリアに関連付けられたサブキャリア位置、または前記コンポーネントキャリアに関連付けられたリソースブロック位置を示し、任意で、
前記サブキャリア位置は、前記コンポーネントキャリアの中心サブキャリア、前記コンポーネントキャリアのエッジサブキャリア、または前記コンポーネントキャリアのリソースブロックのサブキャリアインデックスに対応する、または
前記リソースブロック位置は、前記コンポーネントキャリアの中心リソースブロックまたは前記コンポーネントキャリアのエッジリソースブロックに対応する、請求項5に記載の方法。
【請求項８】
前記参照ロケーションは、リソースブロックまたはサブキャリアおよび関連付けられたサブキャリア間隔によって示される、ならびに/または
前記コンポーネントキャリアの少なくとも1つのサブキャリアは、前記UEの広帯域コンポーネントキャリアと整列する、請求項5に記載の方法。
【請求項９】
ワイヤレス通信のための装置であって、
ユーザ機器(UE)用の2次セルのコンポーネントキャリアについてのロケーションおよびリソースブロックのセットを構成するための手段と、
前記UEへ、前記コンポーネントキャリアの参照ロケーションを送信するための手段であって、前記参照ロケーションは、第2のコンポーネントキャリアに関する、前記コンポーネントキャリアの相対ロケーション、または前記コンポーネントキャリアの前記ロケーションに対応する絶対周波数を含む、手段と、
前記UEへ、前記コンポーネントキャリア用の前記リソースブロックのセットの指示を送信するための手段とを備え、
前記2次セルの前記コンポーネントキャリア用の前記リソースブロックのセットの前記指示と前記ロケーションとが、無線リソース制御(RRC)メッセージを介して、前記2次セルとは異なる1次セル上で送信される、装置。
【請求項１０】
前記リソースブロックのセットと前記参照ロケーションまたは前記絶対周波数との間の関係の指示を送信するための手段をさらに備える、および/または
前記リソースブロックのセットの前記指示は、前記コンポーネントキャリア用のリソースブロックの数を含む、請求項9に記載の装置。
【請求項１１】
前記参照ロケーションは、前記コンポーネントキャリアに関連付けられた中心周波数、前記コンポーネントキャリアに関連付けられたサブキャリア位置、または前記コンポーネントキャリアに関連付けられたリソースブロック位置を示し、任意で、
前記サブキャリア位置は、前記コンポーネントキャリアの中心サブキャリア、前記コンポーネントキャリアのエッジサブキャリア、または前記コンポーネントキャリアのリソースブロックのサブキャリアインデックスに対応する、または
前記リソースブロック位置は、前記コンポーネントキャリアの中心リソースブロックまたは前記コンポーネントキャリアのエッジリソースブロックに対応する、請求項9に記載の装置。
【請求項１２】
前記参照ロケーションは、リソースブロックまたはサブキャリアおよび関連付けられたサブキャリア間隔によって示される、ならびに/または
前記コンポーネントキャリアの少なくとも1つのサブキャリアは、前記UEの広帯域コンポーネントキャリアと整列する、請求項9に記載の装置。
【請求項１３】
ワイヤレス通信のための装置であって、
基地局から、ユーザ機器(UE)用の2次セルのコンポーネントキャリアの参照ロケーションを受信するための手段であって、前記参照ロケーションは、第2のコンポーネントキャリアに関する、前記コンポーネントキャリアの相対ロケーション、または前記コンポーネントキャリアの前記ロケーションに対応する絶対周波数を含む、手段と、
前記基地局から、前記コンポーネントキャリア用のリソースブロックのセットの指示を受信するための手段と、
前記参照ロケーションおよび前記リソースブロックのセットに少なくとも部分的に基づいて、前記2次セルの前記コンポーネントキャリアのパラメータのセットを判断するための手段と、
前記パラメータのセットに少なくとも部分的に基づいて、前記コンポーネントキャリアを使って前記基地局と通信するための手段とを備え、
前記2次セルの前記コンポーネントキャリア用の前記リソースブロックのセットの前記指示と前記ロケーションとが、無線リソース制御(RRC)メッセージを介して、前記2次セルとは異なる1次セル上で受信される、装置。
【請求項１４】
前記リソースブロックのセットと前記参照ロケーションまたは前記絶対周波数との間の関係を識別するための手段であって、前記パラメータのセットは、前記関係に少なくとも部分的に基づいて判断される、手段と、
前記基地局から、前記リソースブロックのセットと前記参照ロケーションまたは前記絶対周波数との間の前記関係の指示を受信するための手段と
をさらに備える、および/または
前記リソースブロックのセットの前記指示は、前記コンポーネントキャリア用のリソースブロックの数を含む、請求項13に記載の装置。
【請求項１５】
前記参照ロケーションは、前記コンポーネントキャリアに関連付けられた中心周波数、前記コンポーネントキャリアに関連付けられたサブキャリア位置、または前記コンポーネントキャリアに関連付けられたリソースブロック位置を示し、任意で、
前記サブキャリア位置は、前記コンポーネントキャリアの中心サブキャリア、前記コンポーネントキャリアのエッジサブキャリア、または前記コンポーネントキャリアのリソースブロックのサブキャリアインデックスに対応する、または
前記リソースブロック位置は、前記コンポーネントキャリアの中心リソースブロックまたは前記コンポーネントキャリアのエッジリソースブロックに対応する、請求項13に記載の装置。
【請求項１６】
前記参照ロケーションは、リソースブロックまたはサブキャリアおよび関連付けられたサブキャリア間隔によって示され、
前記コンポーネントキャリアの少なくとも1つのサブキャリアは、前記UEの広帯域コンポーネントキャリアと整列する、請求項13に記載の装置。